(57)【要約】【課題】ユーザにより筐体ごと把持されて操作される携帯型電子機器において、ユーザによる操作が妨げられず、かつユーザが電源オフすることを怠った場合に、電源供給が自動的に停止されて電池消費が抑制されるようにする。【解決手段】携帯型電子機器は、ユーザが筐体を把持している状態を検知する圧力センサを備える。制御部は、電源スイッチがオンされている（Ｓ１でＹＥＳ）か、圧力センサがオンされている（Ｓ２でＹＥＳ）場合に、全機能について通常に電源を供給する（Ｓ３）。その後、制御部は、電源スイッチがオフされたと判断しない場合（Ｓ４でＮＯ）、圧力センサがオフか否かを判断する（Ｓ６）。圧力センサがオフ（把持が終了）と判断される場合には、過去の操作履歴に基づいて決定されたディレイ時間が経過するのを待って操作に対応する機能ごとに電源をオフする（Ｓ７）。また、操作があればその操作について過去の操作履歴を更新する（Ｓ８）。【選択図】図３
2007259671.tif 000002
【特許請求の範囲】
【請求項１】
電源供給用の電池を内蔵し、使用時にユーザにより筐体ごと把持されて、ユーザによるボタン操作に応じて複数の機能が動作される携帯型電子機器において、
前記ボタン操作に対応する複数の機能が、機能ブロックごとに、前記電池により電源が通常に供給される状態（以下、通常供給状態という）と、前記電池による電源供給が抑制された状態（以下、パワーセーブ状態という）又は電源供給が停止された状態（以下、電源オフ状態という）との間で切替え可能に構成され、
前記筐体の外周に形成されユーザが前記筐体を把持するときのユーザの手に沿う凹部と、
前記凹部に設けられユーザが前記筐体を把持するときのユーザの手の接触を検知する圧力センサと、
前記圧力センサによってユーザによる把持の終了が検知された後にユーザによって前記ボタン操作がなされるときの、そのボタン操作の種類（以下、操作種類情報という）と、前記圧力センサによってユーザによる把持の終了が検知された時点からの経過時間（以下、経過時間情報という）を記憶する操作履歴記憶手段と、
前記操作履歴記憶手段によって記憶された過去の操作種類情報と経過時間情報に基づいて、ボタン操作の種類ごとに、ユーザによる前記筐体の把持が終了してからボタン操作がなされるまでの最長の時間であるディレイ時間を決定するディレイ時間決定手段と、
前記圧力センサによってユーザによる把持の終了が検知された後、前記ボタン操作の種類ごとに、前記ディレイ時間決定手段によって決定されたディレイ時間が経過するのを待って、各ボタン操作に対応する機能ブロックごとの電源供給状態を通常供給状態からパワーセーブ状態又は電源オフ状態に移行させる電源供給状態制御手段とを備え、
ユーザが前記筐体の把持を止め、かつボタン操作を行わなくなったときに、前記電池による電源供給が自動的にセーブ又は停止されて前記電池の消費が抑制されることを特徴とする携帯型電子機器。
【請求項２】
電源供給用の電池を内蔵し、使用時にユーザにより筐体ごと把持されて操作される携帯型電子機器において、
前記電池による電源供給が通常に行われる状態と、前記電池による電源供給が抑制された状態（以下、パワーセーブ状態という）又は電源供給が停止された状態（以下、電源オフ状態という）との間で切替え可能に構成され、
ユーザが前記筐体を把持している状態を検知する把持状態検知手段と、
前記把持状態検知手段によってユーザによる筐体の把持状態が終了したことが検知された後に、ユーザによる操作が所定時間なされないとき、前記電池による電源供給をパワーセーブ状態又は電源オフ状態に移行させる電源供給状態制御手段とを備え、
ユーザが前記筐体の把持を止め、かつ操作を行わなくなったときに前記電池による電源供給が自動的にセーブ又は停止されて前記電池の消費が抑制されることを特徴とする携帯型電子機器。
【請求項３】
前記把持状態検知手段によってユーザによる筐体の把持状態が終了したことが検知された後に、ユーザによる操作がなされるときの、前記把持状態検知手段によってユーザによる筐体の把持状態が終了したことが検知された時点からの経過時間（以下、経過時間情報という）を記憶する操作履歴記憶手段と、
前記操作履歴記憶手段によって記憶された過去の経過時間情報に基づいて、ユーザが筐体の把持を終了してから操作を行うまでの最長の時間であるディレイ時間を決定するディレイ時間決定手段とをさらに備え、
前記所定時間は、前記ディレイ時間決定手段によって決定されたディレイ時間であることを特徴とする請求項２に記載の携帯型電子機器。
【発明の詳細な説明】
【技術分野】
【０００１】
本発明は、携帯型電子機器に関し、詳しくは電源供給用の電池を内蔵し、使用時にユーザにより筐体ごと把持されて操作される携帯型電子機器に関する。
【背景技術】
【０００２】
電池によって電源供給される種々の装置において、電池の無駄な消費を抑えて電池の寿命ができるだけ長くなるように図られている。
【０００３】
例えば、自転車のハンドル部のグリップエンドに発光装置が組込まれ、この発光装置へ電源供給するための電池が同じくハンドル部のグリップエンドに収納された自転車において、電池と発光装置を接続する回路中に圧力センサ、昼夜検出センサ、振動検出センサ等が挿入され、それらのセンサがそれぞれユーザによるハンドル部の把持、夜間、自転車の走行等を検出すると電池による発光装置への電源供給が開始され、いずれかのセンサが検出しなくなると電源供給が停止されるように構成された自転車の安全装置が知られている（例えば、特許文献１参照）。
【０００４】
また、遠隔設置した給湯器とリモコンの間を電波によって通信制御を行うコードレスリモコン給湯機において、リモコンに内蔵された電池の寿命を長くするために、給湯器側にリモコン操作の回数を一定時間ごとに記憶する学習カウンタが設けられ、学習カウンタに記憶されたリモコン操作の回数に基づいてリモコンの間欠受信周期が時間帯に応じて変更されるように構成された装置が知られている（例えば、特許文献２参照）。
【特許文献１】特開２００３−２２６２７５号公報
【特許文献２】特開２００４−２５７７３０号公報
【発明の開示】
【発明が解決しようとする課題】
【０００５】
一方、内蔵した電池によって電源供給され、使用時にユーザにより筐体ごと把持されて操作される携帯型ビデオカメラや携帯電話機等の携帯型電子機器においても内蔵電池の寿命を延ばすために電池の無駄な消費が抑制されることが求められている。
【０００６】
そこで、上記携帯型電子機器では、使用時にユーザによって筐体ごと把持されることを利用して、ユーザが筐体を把持するときにユーザの手が接触する筐体部分に圧力センサを備え、該圧力センサから圧力信号を検出したとき（ユーザが筐体を把持したことが検知されたとき）に内蔵電池からの電源供給が開始され、圧力信号の検出が停止したとき（ユーザによる筐体の把持が終了したことが検知されたとき）に内蔵電池による電源供給が停止されるように構成することが考えられるが、携帯型電子機器では、ユーザは、筐体の把持を終了してから後においても種々の操作を行う場合があり、ユーザによる筐体の把持が終了したことに一律に連動させて電源の供給を停止したのでは、ユーザによる円滑な操作が妨げられる不具合がある。
【０００７】
例えば、携帯型ビデオカメラにおいて、ユーザが直前に撮像した画像を確認できるようにビデオカメラ本体の側面に液晶表示パネルが備えられる場合がある。この液晶表示パネルは、通常その表示面を種々な方向に向けることができるようにヒンジ構造によってビデオカメラ本体に連結されており、多くのユーザは、液晶表示パネルに再生画像を表示させるときに、液晶表示パネルの表示面をユーザ自身に正対させるために事前に液晶表示パネルの角度を調整する。
【０００８】
このとき、ユーザは、それまでユーザ自身の顔の直前で構えていた携帯型ビデオカメラを、筐体の把持を緩めて（筐体から一旦手を離して）ユーザ自身から所定間隔離れた位置にもたらし、液晶表示パネルの角度調整を行った後にボタン操作を行って液晶表示パネル上に再生画像を表示させる。
【０００９】
従って、単にユーザによる筐体の把持が終了したことに連動させて電源の供給を停止するのでは、ユーザによる上記のような一連の操作が不可能になってしまい不便である。
【００１０】
そこで、本発明は、電源供給用の電池を内蔵し、使用時にユーザにより筐体ごと把持されて操作される携帯型電子機器において、ユーザによって日常的に行われる一連の操作が妨げられず、かつユーザが筐体の把持を止めた後に電源オフ又はパワーセーブモードへの切替えを怠った場合に、電源供給が自動的にセーブ又は停止されて電池の消費が抑制される携帯型電子機器を提供することを目的とする。
【課題を解決するための手段】
【００１１】
上記目的を達成するために請求項１の発明は、電源供給用の電池を内蔵し、使用時にユーザにより筐体ごと把持されて、ユーザによるボタン操作に応じて複数の機能が動作される携帯型電子機器において、前記ボタン操作に対応する複数の機能が、機能ブロックごとに、前記電池により電源が通常に供給される状態（以下、通常供給状態という）と、前記電池による電源供給が抑制された状態（以下、パワーセーブ状態という）又は電源供給が停止された状態（以下、電源オフ状態という）との間で切替え可能に構成され、前記筐体の外周に形成されユーザが前記筐体を把持するときのユーザの手に沿う凹部と、前記凹部に設けられユーザが前記筐体を把持するときのユーザの手の接触を検知する圧力センサと、前記圧力センサによってユーザによる把持の終了が検知された後にユーザによって前記ボタン操作がなされるときの、そのボタン操作の種類（以下、操作種類情報という）と、前記圧力センサによってユーザによる把持の終了が検知された時点からの経過時間（以下、経過時間情報という）を記憶する操作履歴記憶手段と、前記操作履歴記憶手段によって記憶された過去の操作種類情報と経過時間情報に基づいて、ボタン操作の種類ごとに、ユーザによる前記筐体の把持が終了してからボタン操作がなされるまでの最長の時間であるディレイ時間を決定するディレイ時間決定手段と、前記圧力センサによってユーザによる把持の終了が検知された後、前記ボタン操作の種類ごとに、前記ディレイ時間決定手段によって決定されたディレイ時間が経過するのを待って、各ボタン操作に対応する機能ブロックごとの電源供給状態を通常供給状態からパワーセーブ状態又は電源オフ状態に移行させる電源供給状態制御手段とを備え、ユーザが前記筐体の把持を止め、かつボタン操作を行わなくなったときに、前記電池による電源供給が自動的にセーブ又は停止されて前記電池の消費が抑制されることを特徴とする。
【００１２】
請求項２の発明は、電源供給用の電池を内蔵し、使用時にユーザにより筐体ごと把持されて操作される携帯型電子機器において、前記電池による電源供給が通常に行われる状態と、前記電池による電源供給が抑制された状態（以下、パワーセーブ状態という）又は電源供給が停止された状態（以下、電源オフ状態という）との間で切替え可能に構成され、ユーザが前記筐体を把持している状態を検知する把持状態検知手段と、前記把持状態検知手段によってユーザによる筐体の把持状態が終了したことが検知された後に、ユーザによる操作が所定時間なされないとき、前記電池による電源供給をパワーセーブ状態又は電源オフ状態に移行させる電源供給状態制御手段とを備え、ユーザが前記筐体の把持を止め、かつ操作を行わなくなったときに前記電池による電源供給が自動的にセーブ又は停止されて前記電池の消費が抑制されることを特徴とする。
【００１３】
請求項３の発明は、請求項２の発明において、前記把持状態検知手段によってユーザによる筐体の把持状態が終了したことが検知された後に、ユーザによる操作がなされるときの、前記把持状態検知手段によってユーザによる筐体の把持状態が終了したことが検知された時点からの経過時間（以下、経過時間情報という）を記憶する操作履歴記憶手段と、前記操作履歴記憶手段によって記憶された過去の経過時間情報に基づいて、ユーザが筐体の把持を終了してから操作を行うまでの最長の時間であるディレイ時間を決定するディレイ時間決定手段とをさらに備え、前記所定時間は、前記ディレイ時間決定手段によって決定されたディレイ時間であることを特徴とする。
【発明の効果】
【００１４】
請求項１の発明によれば、ボタン操作に対応する機能が、機能ブロックごとに、電池により電源が通常に供給される状態（以下、通常供給状態という）と、電池による電源供給が抑制された状態（以下、パワーセーブ状態という）又は電源供給が停止された状態（以下、電源オフ状態という）との間で切替え可能に構成され、筐体の外周の凹部に設けられたユーザの手の接触を検知する圧力センサと、ユーザによる把持が終了してから後にユーザによって行われるボタン操作の履歴が記憶される操作履歴記憶手段と、操作履歴記憶手段に記憶された過去の操作履歴に基づいてディレイ時間を決定するディレイ時間決定手段と、ユーザによる把持の終了が検知された後に、ボタン操作に対応する機能ブロックごとにディレイ時間が経過するのを待って、各機能ブロックごとの電源供給状態を通常供給状態からパワーセーブ状態又は電源オフ状態に移行させる電源供給状態制御手段とを備えるので、ユーザによって日常的に行われる一連の操作が妨げられず、かつユーザが筐体の把持を止めた後に、電源オフ又はパワーセーブモードへの切替えを怠った場合に、電源供給が機能ブロックごとに自動的にセーブ又は停止されて電池の消費が抑制され、電池の寿命が延びる。
【００１５】
請求項２の発明によれば、ユーザが筐体を把持している状態を検知する把持状態検知手段と、ユーザによる筐体の把持状態が終了したことが検知された後に、ユーザによる操作が所定時間なされないとき、電池による電源供給をパワーセーブ状態又は電源オフ状態に移行させる電源供給状態制御手段とを備えるので、ユーザによって日常的に行われる一連の操作が妨げられず、かつユーザが筐体の把持を止めた後に、電源オフ又はパワーセーブモードへの切替えを怠った場合に、電源供給が自動的にセーブ又は停止されて電池の消費が抑制され、電池の寿命が延びる。
【００１６】
請求項３の発明によれば、把持状態検知手段によってユーザによる筐体の把持状態が終了したことが検知された後に、ユーザによる操作がなされるときの、把持状態検知手段によってユーザによる筐体の把持状態が終了したことが検知された時点からの経過時間（以下、経過時間情報という）を記憶する操作履歴記憶手段と、操作履歴記憶手段によって記憶された過去の経過時間情報に基づいて、ユーザが筐体の把持を終了してから操作を行うまでの最長の時間であるディレイ時間を決定するディレイ時間決定手段とをさらに備え、所定時間は、ディレイ時間決定手段によって決定されたディレイ時間にされるので、電源供給が自動的にセーブ又は停止されるまでの時間がユーザの操作履歴に基づいてより適正な時間になり、ユーザが操作を行う上での不便さがより少ない。
【発明を実施するための最良の形態】
【００１７】
以下、本発明の一実施形態に係る携帯型ビデオカメラ１について図面を参照して説明する。本実施形態の携帯型ビデオカメラ１は、図１に示されるように筐体２内に電池３を内蔵し、この電池３によって後に詳述する制御部等の各機能部分に電源が供給される。
【００１８】
筐体２は、図４（ａ）に示されるようにユーザの手の平Ｈに納まる程度の大きさの略直方形状に形成され、前部に撮像用のレンズ４を備え、側面部に撮像した画像が再生されて表示される液晶表示パネル５を備える。液晶表示パネル５は、その表示面を種々な方向に向けることができるように回転と屈曲が可能なヒンジ構造によって筐体２に連結されている。
【００１９】
また、筐体２の表面には、図１に示される電源のオンオフスイッチ（図１中の電源ＳＷ）６や撮像した画像の再生、停止等を操作するための種々の操作ボタン７を備え、ユーザが本携帯型ビデオカメラ１をユーザ自身の顔の前方に構えた撮像姿勢のまま操作が可能になるように、ユーザが筐体２を把持した状態の人差し指の位置にズームボタン８を備える。
【００２０】
さらに、筐体２の側面の、ユーザが筐体２を把持するときの手指が当接する位置には、手指の形状に沿う浅い凹部２ａ（図４（ｂ）参照）が形成され、凹部２ａの底にユーザの手指の接触を検知する圧力センサ９（図１参照）を備える。
【００２１】
凹部２ａは、例えば筐体の側面に当接される４本の指（人差し指から小指までの指）に沿う縦に４列が並んだ形状に形成され、ユーザが筐体２を把持するときに自然にユーザの手指が凹部２ａに沿わされる。
【００２２】
次に、筐体２の内部の主要な電気的構成について、図１を参照して説明する。本実施形態の携帯型ビデオカメラ１は、撮像対象物からの光を取込んでＣＣＤ（Ｃｈａｒｇｅ  Ｃｏｕｐｌｅｄ  Ｄｅｖｉｃｅ）撮像素子１１上に画像を形成するレンズ４を含む撮像部１２と、レンズ４を前後に移動して焦点距離を移動させるレンズ駆動部１３と、ＣＣＤ撮像素子１１上に形成された画像をディジタル的に処理する信号処理部１４と、信号処理部１４によって処理された画像情報をディスク等の記録媒体に記録し、液晶表示パネル５に画像信号として出力する記録再生部１５と、レンズ駆動部１３、信号処理部１４、記録再生部１５等を統括して制御するマイクロコンピュータから構成される制御部１６とを備える。
【００２３】
制御部１６には、電源のオンオフスイッチ６、画像の再生、停止等を操作するための種々の操作ボタン７、及びズームボタン８が接続され、それぞれユーザによって操作されるときの操作信号が制御部１６に入力され、制御部１６は、それらの操作信号に応じて各部に制御信号を出力する。
【００２４】
例えば、ズームボタン８がユーザによって操作されるときの操作信号が制御部１６に入力され、制御部１６は、レンズ駆動部１３に駆動信号を出力してレンズを前後に移動させ焦点距離を移動させる。
【００２５】
また、制御部１６には圧力センサ９が接続され、圧力センサ９にユーザの手が接触するときの圧力信号が制御部１６に入力されて、制御部１６は、ユーザによる筐体２の把持状態を認識する。
【００２６】
さらに、撮像部１２、レンズ駆動部１３、信号処理部１４等の上記各機能部は、ズームボタン８等の各ボタン操作に対応する機能ブロックごとに独立して電池による電源供給が行われるように構成されている。
【００２７】
具体的には、例えば、前述のようにユーザがズームボタン８を操作するときには、制御部１６を介してレンズ駆動部１３が駆動されるので、レンズ駆動部１３が１つの機能ブロックＦ１とされて独立して電源供給を受ける。同様にして、他のボタンに対応する機能ブロックが形成されている。
【００２８】
そして、各機能ブロックと電池３を接続する電源接続回路１７は、制御部１６によって各機能ブロックごとに電池３との接続がオンオフ制御される。電源接続回路１７は、図１において複数のスイッチの集合体として表される。
【００２９】
なお、電源接続回路１７によって各機能ブロックと電池３の接続状態がオフ状態に切替えられるときには、電池３による電源供給が完全にオフ状態になるのではなく電源供給が抑制された状態（パワーセーブ状態）になるように構成されていてもよい。
【００３０】
次に、本実施形態の携帯型ビデオカメラ１における電源供給のオンオフ手順について、図３のフローチャートを参照して説明する。
【００３１】
制御部１６は、電源スイッチ６がユーザによってオンされたか否かを判断し（Ｓ１）、オンされていない場合には（Ｓ１においてＮＯ）、圧力センサ９がオンされたか否かを判断する（Ｓ２）。Ｓ１においてＹＥＳと判断された場合、又はＳ２においてＹＥＳと判断された場合には、制御部１６は、電源接続回路１７の全スイッチをオンに切替えて、上記の機能ブロックＦ１等の全機能ブロックに電源供給する（Ｓ３）。これによってユーザは、携帯型ビデオカメラ１の撮像、再生、ズーム操作等の全操作が可能になる。
【００３２】
そして、次に制御部１６は、電源スイッチ６がユーザによってオフされたか否かを判断し（Ｓ４）、オフされたと判断した場合には（Ｓ４においてＹＥＳ）、電源接続回路１７の全スイッチをオフに切替えて全機能ブロックへの電源供給を停止する（Ｓ５）。
【００３３】
Ｓ４においてＮＯと判断された場合、制御部１６は、圧力センサ９がオフであるか否かを判断し（Ｓ６）、オフである（ユーザが筐体２を把持していない）と判断される場合には（Ｓ６においてＹＥＳ）、機能ブロックごとに所定の時間（ディレイ時間）が経過するのを待って、機能ブロックごとに電源接続回路１７の対応するスイッチ（各機能ブロックに対応するスイッチ）を順次オフに切替える（Ｓ７）。
【００３４】
所定の時間（ディレイ時間）が経過するまでに、ユーザによっていずれかのボタン操作が行われた場合には、制御部１６は、そのボタン操作に関する情報を後述の操作履歴テーブルＴ（図２参照）に記憶し、操作履歴テーブルＴを更新する（Ｓ８）。
【００３５】
以下、Ｓ７とＳ８の処理について、図２を参照して詳細に説明する。制御部１６が有するメモリ１６ａには、図２に示されるように、ユーザによって過去に行われたボタン操作のうち、ユーザが筐体２の把持を終了した後に行われたボタン操作に関する情報がテーブル形式で記憶されている。ボタン操作に関する情報としては、操作の種類（操作種類情報）１８と、各ボタン操作についてユーザが筐体２の把持を終了してから操作を行うまでの経過時間（経過時間情報）１９が記憶される。
【００３６】
例えば、図２に示される操作履歴テーブルＴが、時間経過順に記憶されたものであるとすると、直近の操作は「ズームボタンの操作」であって、その操作は、ユーザが筐体２の把持を終了してから８秒後に行われた操作であることが記憶されており、その前の操作は「液晶表示パネルへの撮像画像の再生」であって、その操作は、ユーザが筐体２の把持を終了してから３秒後に行われたこと等が、順に履歴として記憶されている。
【００３７】
従って、制御部１６は、メモリ１６ａ内の操作履歴テーブルＴを参照することによって、ユーザが過去に行った各ボタン操作についての、ユーザが筐体２の把持を終了してから当該操作を行うまでの経過時間を知ることができる。一方、操作履歴テーブルＴに記憶されるボタン操作の種類と操作種類ごとの経過時間は、当該ビデオカメラ１を扱うユーザが同一の場合には概ね一定の範囲内の値に収斂される傾向がある。
【００３８】
つまり、例えば、図２に示される操作履歴テーブルＴの場合であれば、ユーザは、筐体２の把持を止めてから６〜８秒後にズームボタンの操作を行うことが比較的多く、筐体２の把持を止めてから２〜３秒後に液晶表示パネル５へ撮像画像を再生させる操作を行うことがあることが分かる。また、比較的頻度は少ないが、ユーザは、筐体２の把持を止めてから１４秒後くらいに再生停止ボタンの操作を行うことがあることが分かる。
【００３９】
従って、制御部１６は、操作履歴テーブルＴに記憶された操作種類情報１８と経過時間情報１９に基づいて各ボタン操作ごとに所定の待ち時間（ディレイ時間）を決定することができる。
【００４０】
具体的には、上記の例であれば、制御部１６は、再生ボタンの操作に対して過去における最長時間の３秒をディレイ時間として決定し、ズームボタン８の操作に対して過去における最長時間の８秒をディレイ時間として決定し、再生停止ボタンの操作に対して過去における最長時間の１４秒をディレイ時間として決定する。
【００４１】
そして、制御部１６は、ユーザによる筐体２の把持が終了したと判断された（Ｓ６においてＹＥＳ）後、３秒が経過したときに再生ボタンに対応する機能ブロックの電源接続回路１７のスイッチをオフへ切替えて当該機能ブロックを電源オフ状態にする。
【００４２】
同様に制御部１６は、ユーザによる筐体２の把持が終了したと判断された（Ｓ６においてＹＥＳ）後、８秒が経過したときにズームボタン８に対応する機能ブロックの電源接続回路１７のスイッチをオフへ切替えて当該機能ブロックを電源オフ状態にする。上記のようにして、各機能ブロックが順に電源オフ状態へ切替えられる。
【００４３】
なお、制御部１６が操作履歴テーブルＴに記憶された過去の情報１８、１９からディレイ時間を決定するためのアルゴリズムは、種々変更が可能である。例えば、上記の例であれば、制御部１６は、各ボタン操作ごとに経過時間情報１９の最長値をディレイ時間としたが、最長値にさらに数秒の余裕時間を加算した値をディレイ時間としてもよいし、各操作種類ごとの複数の経過時間情報１９の平均値に一定の値を加算してディレイ時間としてもよい。
【００４４】
また、過去における発生頻度が極めて低い操作がある場合には、当該操作についてのディレイ時間は、実際に記憶された経過時間情報１９よりも相当に短い時間であってもよい。例えば、操作履歴テーブルＴ上における発生頻度が数パーセントであるような操作は、ユーザがほとんど行わない操作であるので、そのような操作に対応する機能ブロックは、実際に記憶された経過時間情報１９に関わらず、一定の短い時間の経過後に電源オフ状態に切替えられるように構成してもよい。
【００４５】
なお、上記説明から明らかなように、各ボタン操作に対応する機能ブロックは、重複する部分が生じないように設定される。例えば、ユーザによってズームボタン８が操作されるときにレンズ駆動部１３が動作されると共に、信号処理部１４、記録再生部１５も動作されるが、信号処理部１４と記録再生部１５は、再生ボタン等の他のボタン操作によっても動作されるので、ズームボタン８の操作に固有の機能ブロックはレンズ駆動部１３に限定される。
【００４６】
以上のように、本実施形態の携帯型ビデオカメラ１においては、ユーザが筐体２の把持を止めた後に、液晶表示パネル５の角度を調整して撮像画像を液晶表示パネル５上に再生するとか、ズームボタン８を操作するといったユーザによって日常的に行われる一連の操作が妨げられず、かつユーザが筐体２の把持を止めた後に、電源オンオフスイッチ６をオフ側へ切替える操作を怠った場合に、電源供給が機能ブロックごとに順次自動的に停止され電池３の消費が抑制されるので、電池３の寿命が延びる。
【００４７】
なお、本発明は、携帯型ビデオカメラ以外の種々の携帯型電子機器に適用することが可能である。例えば、図５に示されるように、携帯電話機２１に適用することができる。
【００４８】
本発明が携帯電話機２１に適用される場合も、ユーザが筐体２２を把持するときのユーザの手の平Ｈが当接する筐体２２の側面に凹部２２ａが設けられ、各凹部２２ａの底（各凹部２２ａの奥）にユーザの手指の接触を検知する圧力センサを備える。
【００４９】
さらに、本発明は、ディジタルスチルカメラに適用することが可能である。
【図面の簡単な説明】
【００５０】
【図１】本発明の一実施形態に係る携帯型ビデオカメラの電気的ブロック構成を示す図。
【図２】同携帯型ビデオカメラにおける制御部のメモリに記憶される操作履歴テーブルを示す図。
【図３】同携帯型ビデオカメラにおける電源供給のオンオフ手順を示すフローチャート。
【図４】（ａ）は、ユーザによって把持された状態の同携帯型ビデオカメラを表す斜視図、（ｂ）は、ユーザによって把持されていない状態の同携帯型ビデオカメラを表す斜視図。
【図５】本発明を携帯電話機に適用した場合の携帯電話機の外観を表す斜視図。
【符号の説明】
【００５１】
１  携帯型ビデオカメラ
２  筐体
２ａ  凹部
３  電池
７  操作ボタン
８  ズームボタン
９  圧力センサ（把持状態検知部）
１６  制御部（操作履歴記憶部、ディレイ時間決定手段、電源供給状態制御部）
１６ａ  メモリ（操作履歴記憶部）
１８  操作種類情報
１９  経過時間情報
２１  携帯電話機
２２  筐体
２２ａ  凹部
Ｆ１  機能ブロック
Ｈ  ユーザの手
Ｔ  操作履歴テーブル
【図１】
2007259671.tif 000003
【図２】
2007259671.tif 000004
【図３】
2007259671.tif 000005
【図４】
2007259671.tif 000006
【図５】
2007259671.tif 000007